(57)【要約】【課題】冷却材中に混入する異物を捕捉するフィルタの圧力損失を低くし、特に線状異物に対する捕捉性能を向上させ、万一大量の異物が発生した場合でも冷却材流量を確保する。さらに、捕捉した異物の閉じ込めを可能とする。【解決手段】原子炉の炉心上流側に配置され、冷却材の流れとともに流動する固体異物を捕捉する原子炉用異物フィルタであって、冷却材１の流れの方向に対して傾斜して配置された複数の棒状部３を有し、これらの棒状部が互いに複数の交点４１、４２で結合され、複数の交点それぞれで、同一平面にない少なくとも３本の棒状部が結合されている。【選択図】  図１
2005172748.tif 000002
【特許請求の範囲】
【請求項１】
原子炉の炉心上流側に配置され、冷却材の流れとともに流動する固体異物を捕捉する原子炉用異物フィルタであって、
前記冷却材の流れの方向に対して傾斜して配置された複数の棒状部を有し、これらの棒状部が互いに複数の交点で結合され、前記複数の交点それぞれで、同一平面にない少なくとも３本の棒状部が結合されていること、を特徴とする原子炉用異物フィルタ。
【請求項２】
請求項１に記載の原子炉用異物フィルタにおいて、前記複数の棒状部の少なくとも一部が、前記冷却材の流れの方向に対して４５度以下の傾斜角を有すること、を特徴とする原子炉用異物フィルタ。
【請求項３】
請求項１または２に記載の原子炉用異物フィルタにおいて、前記フィルタは、前記冷却材の流れの方向に交差する方向に広がる互いに平行な複数の層を形成していること、を特徴とする原子炉用異物フィルタ。
【請求項４】
請求項３に記載の原子炉用異物フィルタにおいて、前記複数の層の互いに隣接する層の前記交点のうち、互いに相手の層に向かって突出する交点同士が接合されていること、を特徴とする原子炉用異物フィルタ。
【請求項５】
請求項３に記載の原子炉用異物フィルタにおいて、前記複数の層の互いに隣接する層の前記交点が互いにずれた位置に配置されていること、を特徴とする原子炉用異物フィルタ。
【請求項６】
ほぼ上下方向に延びるように互いに平行に配置された複数の燃料棒と、これらの燃料棒の上部および下部をそれぞれ支持する上部タイプレートおよび下部タイプレートと、前記複数の燃料棒の側面を覆うように配置されたチャンネルボックスと、を有し、前記下部タイプレートから前記チャンネルボックス内をへて前記上部タイプレートに至るほぼ上向きの冷却材流路が形成されるように構成された燃料集合体において、
前記下部タイプレートまたはチャンネルボックス内にフィルタが配置され、このフィルタは、前記冷却材流路の方向に対して傾斜した複数の棒状部を有し、これらの棒状部が互いに複数の交点で結合され、前記複数の交点それぞれで、同一平面にない少なくとも３本の棒状部が結合されていること、を特徴とする燃料集合体。
【請求項７】
請求項６に記載の燃料集合体において、前記フィルタは、前記冷却材流路の方向に交差する方向に広がる互いに平行な複数の層を形成していること、を特徴とする燃料集合体。
【請求項８】
請求項６または７に記載の燃料集合体において、
前記下部タイプレートは、前記複数の燃料棒の下部を支持しつつ冷却材が通る流路を有するネットワーク部と、そのネットワーク部の周囲から下方に延びて、前記ネットワーク部の下方に下部タイプレート空洞を形成して下端に入口開口を形成するノズル部と、を有し、
前記フィルタは、前記下部タイプレート空洞を上下に区画するように前記下部タイプレート空洞内にほぼ水平に配置されていること、
を特徴とする燃料集合体。
【請求項９】
請求項８に記載の燃料集合体において、前記下部タイプレートは、
前記ネットワーク部および前記ノズル部を合わせて形成し、これとは別個に前記フィルタを形成した後に、
前記ノズル部の側面に設けた側部開口から前記フィルタを挿入してこのフィルタを前記ノズル部に固定し、前記側部開口を閉鎖することによって形成したものであること、
を特徴とする燃料集合体。
【請求項１０】
請求項６または７に記載の燃料集合体において、
前記下部タイプレートは、前記複数の燃料棒の下部を支持しつつ冷却材が通る流路を有するネットワーク部と、そのネットワーク部の周囲から下方に延びて、前記ネットワーク部の下方に下部タイプレート空洞を形成して下端に入口開口を形成するノズル部と、を有し、
前記フィルタは、前記入口開口を通して前記ノズル部内側に取り付けられるものであること、
を特徴とする燃料集合体。
【請求項１１】
請求項６または７に記載の燃料集合体において、
前記下部タイプレートは、前記複数の燃料棒の下部を支持しつつ冷却材が通る流路を有するネットワーク部と、そのネットワーク部の周囲から下方に延びて、前記ネットワーク部の下方に下部タイプレート空洞を形成して下端に入口開口を形成するノズル部と、を有し、
前記フィルタは、前記ネットワーク部の上方に配置されていること、
を特徴とする燃料集合体。
【請求項１２】
請求項１１に記載の燃料集合体において、
前記複数の燃料棒それぞれの下端部には前記ネットワーク部を貫通する下部端栓が配置されており、
前記フィルタは、前記下部端栓が貫通する複数の貫通孔を有し、前記フィルタは、前記下部端栓によって前記ネットワーク部の上面に固定されていること、
を特徴とする燃料集合体。
【発明の詳細な説明】
【技術分野】
【０００１】
本発明は、冷却材に混入する異物を捕捉できる原子炉用異物フィルタおよびそのような異物フィルタを有する燃料集合体に関する。
【背景技術】
【０００２】
典型的な沸騰水型原子炉の炉心は、多数の燃料集合体を挿入することにより構成されており、その各々の燃料集合体は、例えば図８に示すように、ほぼ四角筒形のチャンネルボックス１５に覆われている。また炉心内には、中性子束を検出するために、複数個の局部出力領域モニタが配置されている。さらに、各チャンネルボックス１５は、炉心支持板、および、上部格子板で支持され、円筒形のシュラウドに囲まれている。
【０００３】
冷却材１は、下方より、燃料支持金具のオリフィスおよび下部タイプレート８を経由してチャンネルボックス１５内に流入し、燃料集合体により熱せられ、沸騰により蒸気（ボイド）を発生し、気液二相流となる。現在運転されている商用ＢＷＲでの燃料集合体有効長さは、約３．７ｍである。
【０００４】
図８において、９行９列に配列された燃料棒１２の上端が上部タイプレート２２で、下端が下部タイプレート１６で、それぞれ支持されている。また、燃料棒１２の途中の複数箇所で、相互の横方向の間隔を保持するための燃料スペーサ２４が配置されている。また、９行９列に配列された燃料棒１２の中央付近の一部はウォータロッド１３によって置き換えられている。
【０００５】
以上のような沸騰水型原子炉における燃料集合体としては、国内で商用の発電が行なわれて以来、７行７列型、８行８列型、改良８行８列型、高燃焼度化８行８列型、そして、高燃焼度化９行９列型（図８）が採用されるに至っている。これらの改良により集合体当たりの核分裂性物質の収容量が増加し、集合体内濃縮度分布の最適化と可燃性毒物の最適配置により、高燃焼度化と長期運転サイクル化が実現され、炉心の経済性は向上している。
【０００６】
高燃焼度化８×８燃料から９×９燃料では、高燃焼度化／長期運転サイクル化に伴うボイド反応度係数絶対値増加による過渡特性と核的要因に基づく安定性の悪化は、２本の太径ウォータロッド１３の採用などにより防止されている。また、集合体格子の増加に伴う二相圧損増加による熱水力的要因に基づく安定性の悪化は、スペーサ圧損係数の低減と８本の部分長燃料棒３０、および、高圧損型下部タイプレート１６により防止されている。
【０００７】
また、近年の高性能化された燃料集合体では、燃料集合体内部に異物が侵入するのを防ぐことを目的としてフィルタ機能を付加することにより、燃料の健全性の向上が図られている。先述の９×９燃料の下部タイプレートでは、約５ｍｍの小口径の孔を多数開けることにより、流れに対する抵抗を増加（すなわち、高圧損化）する設計が採用されており、炉心の安定性の改善が図られているが、これは異物フィルタの役目も果たしている。
【０００８】
燃料集合体に侵入することが予想される異物としては、プラント建設時に原子炉一次系内に僅かに残された金屑、機器洗浄時の金属性ブラシの折れ片、機器損傷時の破片などが想定されている。その形状も、板状、つるまきバネ状（らせん状）、針金状（直線状）など、多岐にわたることが予想されている。
【０００９】
最近では、異物フィルタ機能をさらに発展させた下部タイプレートも提案され、ＢＷＲ運転プラントに適用されつつある（特許文献１参照）。図９および図１０に、９×９燃料用の異物フィルタ付き下部タイプレートの一例を示す。この例では、燃料棒１２とウォータロッド１３を支えるネットワーク部１０の基本的な構造は高燃焼度８×８燃料のものと同じであって、燃料棒１２およびウォータロッド１３の下部端栓１４の上部のくびれた部位が乗る円環状のボスと、ボスを繋ぐウェブから構成され、これらの間に流路が形成されている。
【００１０】
この例ではさらに、ネットワーク部１０の下方に、数ｍｍの小口径の孔１７ａが数百個開いた仕切り板１７が取り付けられている。ここで、燃料棒１２およびウォータロッド１３の下部端栓１４は、仕切り板１７に設けられた下部端栓貫通孔１７ｂを貫通している。
【００１１】
これら従来の異物フィルタは、いずれも平板に小口径の孔を多数開けることで、異物を燃料集合体内に混入することを防ぐものであるが、これらは圧力損失の増加も伴うことになる。
【特許文献１】特開平７−３０６２８４号公報
【発明の開示】
【発明が解決しようとする課題】
【００１２】
従来より提案されている異物フィルタを有する下部タイプレートでは、炉心入口部に達した異物を炉心（特に、燃料集合体チャンネル）内に侵入することを高い確率で防止することはできた。
【００１３】
しかしながら、異物、特に線状異物の捕捉性能をさらに向上させる観点からは、冷却材流量の流線に対して平行な孔を有するフィルタ部の構造に改善の余地が残されていた。また、圧力損失を低下することができれば、この圧力損失分を燃料経済性向上に活用することができる。
【００１４】
本発明の目的は、圧力損失が低く、特に線状異物に対する捕捉性能が高く、万一大量の異物が発生した場合でも冷却材流量が確保され、しかも、捕捉した異物を閉じ込めることが可能なフィルタを提供することにある。
【課題を解決するための手段】
【００１５】
本発明は上記目的に沿うものであって、請求項１に記載の発明は、原子炉の炉心上流側に配置され、冷却材の流れとともに流動する固体異物を捕捉する原子炉用異物フィルタであって、前記冷却材の流れの方向に対して傾斜して配置された複数の棒状部を有し、これらの棒状部が互いに複数の交点で結合され、前記複数の交点それぞれで、同一平面にない少なくとも３本の棒状部が結合されていること、を特徴とする。
【００１６】
また、請求項２に記載の発明は、請求項１に記載の原子炉用異物フィルタにおいて、前記複数の棒状部の少なくとも一部が、前記冷却材の流れの方向に対して４５度以下の傾斜角を有すること、を特徴とする。
【００１７】
また、請求項３に記載の発明は、請求項１または２に記載の原子炉用異物フィルタにおいて、前記フィルタは、前記冷却材の流れの方向に交差する方向に広がる互いに平行な複数の層を形成していること、を特徴とする。
【００１８】
また、請求項４に記載の発明は、請求項３に記載の原子炉用異物フィルタにおいて、前記複数の層の互いに隣接する層の前記交点のうち、互いに相手の層に向かって突出する交点同士が接合されていること、を特徴とする。
【００１９】
また、請求項５に記載の発明は、請求項３に記載の原子炉用異物フィルタにおいて、前記複数の層の互いに隣接する層の前記交点が互いにずれた位置に配置されていること、を特徴とする。
【００２０】
また、請求項６に記載の発明は、ほぼ上下方向に延びるように互いに平行に配置された複数の燃料棒と、これらの燃料棒の上部および下部をそれぞれ支持する上部タイプレートおよび下部タイプレートと、前記複数の燃料棒の側面を覆うように配置されたチャンネルボックスと、を有し、前記下部タイプレートから前記チャンネルボックス内をへて前記上部タイプレートに至るほぼ上向きの冷却材流路が形成されるように構成された燃料集合体において、前記下部タイプレートまたはチャンネルボックス内にフィルタが配置され、このフィルタは、前記冷却材流路の方向に対して傾斜した複数の棒状部を有し、これらの棒状部が互いに複数の交点で結合され、前記複数の交点それぞれで、同一平面にない少なくとも３本の棒状部が結合されていること、を特徴とする。
【００２１】
また、請求項７に記載の発明は、請求項６に記載の燃料集合体において、前記フィルタは、前記冷却材流路の方向に交差する方向に広がる互いに平行な複数の層を形成していること、を特徴とする。
【００２２】
また、請求項８に記載の発明は、請求項６または７に記載の燃料集合体において、前記下部タイプレートは、前記複数の燃料棒の下部を支持しつつ冷却材が通る流路を有するネットワーク部と、そのネットワーク部の周囲から下方に延びて、前記ネットワーク部の下方に下部タイプレート空洞を形成して下端に入口開口を形成するノズル部と、を有し、前記フィルタは、前記下部タイプレート空洞を上下に区画するように前記下部タイプレート空洞内にほぼ水平に配置されていること、を特徴とする。
【００２３】
また、請求項９に記載の発明は、請求項８に記載の燃料集合体において、前記下部タイプレートは、前記ネットワーク部および前記ノズル部を合わせて形成し、これとは別個に前記フィルタを形成した後に、前記ノズル部の側面に設けた側部開口から前記フィルタを挿入してこのフィルタを前記ノズル部に固定し、前記側部開口を閉鎖することによって形成したものであること、を特徴とする。
【００２４】
また、請求項１０に記載の発明は、請求項６または７に記載の燃料集合体において、前記下部タイプレートは、前記複数の燃料棒の下部を支持しつつ冷却材が通る流路を有するネットワーク部と、そのネットワーク部の周囲から下方に延びて、前記ネットワーク部の下方に下部タイプレート空洞を形成して下端に入口開口を形成するノズル部と、を有し、前記フィルタは、前記入口開口を通して前記ノズル部内側に取り付けられるものであること、を特徴とする。
【００２５】
また、請求項１１に記載の発明は、請求項６または７に記載の燃料集合体において、前記下部タイプレートは、前記複数の燃料棒の下部を支持しつつ冷却材が通る流路を有するネットワーク部と、そのネットワーク部の周囲から下方に延びて、前記ネットワーク部の下方に下部タイプレート空洞を形成して下端に入口開口を形成するノズル部と、を有し、前記フィルタは、前記ネットワーク部の上方に配置されていること、を特徴とする。
【００２６】
また、請求項１２に記載の発明は、請求項１１に記載の燃料集合体において、前記複数の燃料棒それぞれの下端部には前記ネットワーク部を貫通する下部端栓が配置されており、前記フィルタは、前記下部端栓が貫通する複数の貫通孔を有し、前記フィルタは、前記下部端栓によって前記ネットワーク部の上面に固定されていること、を特徴とする。
【発明の効果】
【００２７】
本発明によれば、冷却材中に混入した異物を炉心入口部で捕捉することの確実性を向上させることができ、特に線状異物に対する捕捉率が向上する。このため、燃料破損に対する信頼性が向上し、プラントの運転性能が改善される。さらに、異物フィルタによる圧力損失の増加は、従来の平板に小口径の孔を開けるタイプに比べて低いため、この圧力損失分を、燃料棒径の増大などによる燃料経済性向上に振り向けることができる。
【００２８】
また、プラントの機器不具合時に万が一大量の異物発生した場合でも、冷却材流量を確保する可能性を高めることができることに加えて、燃料集合体を炉心外に取り出す際に、捕獲した異物を一緒に原子炉圧力容器外に取り出すことができる可能性が高い。
【発明を実施するための最良の形態】
【００２９】
以下、図１〜図７を参照して本発明の実施の形態を説明する。ここで、従来技術と共通もしくは類似の部分、または相互に共通もしくは類似の部分については共通の符号を付して、重複説明は省略する。
【００３０】
図１は本発明に係る異物フィルタの一実施の形態を示す。この異物フィルタは、冷却材１の流れの方向に対して４５度以下の角度θ（図１（ｃ）参照）を持つ複数の棒状部３をジグザグ状に組み合わせて構成している。異物フィルタ外周を除く棒状部同士の各交点４１、４２は四つ又に分岐しており、流れに対して凸状となっている交点４１と凹状となっている交点４２を有している。
【００３１】
この異物フィルタは、図５〜図７を参照して後述するように、炉心の上流側、例えば燃料集合体の入口部に設置される。  
異物６が、凹状棒状部交点４２に流れ込んで来た場合、分岐した棒状部３間に挟まり捕捉される。凸状棒状部交点４１付近に流れ込んで来た場合は、凸状棒状部交点４１あるいは棒状部３と接触し、異物６の進行方向が変わり、下流側にある凹状棒状部交点４２で捕捉される。
【００３２】
異物６が、交点４１、４２あるいは棒状部３に接触することなく、流路５に流れ込んで来た場合には、捕捉されることなく通過することになるが、交点４１、４２間の距離を、例えば５ｍｍ程度以下とすることで、燃料健全性上、実質的に問題となる異物を捕捉することが可能となる。特に、線状異物の両端を２箇所の凹状棒状部交点４２で捕捉した場合には、運転期間中に亘って確実に捕捉し続けることができる。
【００３３】
この実施の形態によれば、平板に穴あるいは網目を設けた従来のフィルタに比べて、上述のように棒状部３を三次元的に組み合わせているため、フィルタ全体の投影図は図１（ａ）に示すように流路が狭く圧力損失が高いように見えるが、流れ方向の各断面の投影図は棒状部３の一断面あるいは交点４１、４２となり流路は広く、圧力損失は非常に小さい。棒状部角度θを鋭角にするほど、交点４１、４２間距離を狭くするほど、異物の捕捉率は向上するが、逆に圧力損失は上昇するため、設計上許容される圧力損失により決定することになる。
【００３４】
棒状部３の断面形状は、例えば円形であるが、図１では棒状部３の断面形状が八角形の例を示している。棒状部３の断面形状を楕円形状としたり、凸状棒状部交点４１を流れに対して錐状にすることで、捕捉率を低下させることなく圧力損失をより低くすることができる。
【００３５】
異物６は分岐した棒状部３間に挟まり捕捉されるが、異物６の形状、大きさにより棒状部３間で捕捉される位置が異なり、例えば大きい異物６はより上流側で捕捉されることになる。このように、異物６により流路の一部は閉じるものの、冷却材１は異物６の脇から隣接した流路５に流れ込めるため、万が一大量の異物が発生した場合でも、流路閉塞の可能性を減少させることができる。
【００３６】
なお、この異物フィルタは、例えば、全体を鋳造により、または、平板からプレス加工により製造することができる。また、平板に多数の切れ込みを作ったうえで両側から引張ることにより、類似の形状を作ることができる。
【００３７】
また、上記説明では各交点４１、４２で４本の棒状部３が結合された形状となっており、冷却材の流れ方向から見ると図１（ａ）のように正方格子状となっている。これの変形例として、各交点４１、４２で例えば３本の棒状部３が結合された形状もありうる。この場合、冷却材の流れ方向から見たときに、隣接する棒状部３で囲まれた各流路の形状が三角形や六角形（蜂の巣状）のものなどがありうる。
【００３８】
図２は、図１に示したフィルタ７ａ、７ｂを冷却材の流れの方向に２層に重ねて一つのフィルタとした例を示す。この例では、上方のフィルタ７ａの下向きの凸状棒状部交点４１ａと下方のフィルタ７ｂの凹状棒状部交点４２ｂを互いに結合している。このとき、上方のフィルタ７ａの凹状棒状部交点４２ａと下方のフィルタ７ｂの凸状棒状部交点４１ｂの各水平方向位置が対応している。
【００３９】
図２のフィルタの製造方法としては、例えば、フィルタの設置前にあらかじめ上方のフィルタ７ａと下方のフィルタ７ｂを数箇所で溶接するにより結合してもよい。また、フィルタ７ａと下方のフィルタ７ｂをそれぞれ設置場所に固定して、結果的に図２のような構造となるようにしてもよい。
【００４０】
図３は、図１に示したフィルタを４層に重ねて一つのフィルタとした例を示す。この例でも、図２の例と同様に、上方のフィルタ７ａの下向きの凸状棒状部交点４１ａと、これに隣接する下方のフィルタ７ｂの凹状棒状部交点４２ｂを互いに結合している。図３の例は、図２の２層のフィルタを二つ重ねたものでもよい。
【００４１】
図２または図３に示すような層状のフィルタ構造とすることで、異物の捕捉率を向上できる。さらに、一般には、異物は冷却材１の流れがない状態では落下する場合があるが、層状とすることにより、落下した異物が下方（上流側）の棒状部交点に再び挟まり、フィルタ内に閉じ込められる。したがって、異物は燃料取出し時に、落下して炉内に残留することなく、使用済燃料と共に炉外に取り除かれる。
【００４２】
図４は、図１に示したフィルタ７ａ、７ｂを冷却材の流れの方向に２層に重ねて一つのフィルタとした例を示すもので、図２に示したものとは異なる重ね方の例を示す。すなわち、この例では、上方のフィルタ７ａの下向きの凸状棒状部交点４１ａと下方のフィルタ７ｂの凹状棒状部交点４２ｂが水平方向に互いにずれた位置にあって、例えば、上方のフィルタ７ａの流路５（図１（ａ）参照）内に、下方のフィルタ７ｂの凹状棒状部交点４２ｂが位置している。層状のフィルタ構造で、かつ流路５と、交点４１ａ、４２aと、交点４１ｂ、４２ｂとを複雑に組み合わせることで、図２の実施の形態に比べてさらに高い捕捉率を実現できる。
【００４３】
図５から図７は、以上説明した異物フィルタ７を下部タイプレート８内への取り付ける構成の例を示す図である。  
図５で、下部タイプレート８は、燃料棒１２およびウォータロッド１３の下部端栓１４を支持しながら流路３２を形成するネットワーク部１０と、ネットワーク部１０の周囲から下方に延びてネットワーク部１０の下方に下部タイプレート空洞９を形成するノズル部１１とを有する。ノズル部１１の下端には冷却材を取り入れる入口開口３４が形成されている。なお、図５〜図７では、チャンネルボックス１５（図８、図９参照）の図示を省略している。
【００４４】
この実施の形態では、異物フィルタ７を、下部タイプレート空洞内９のネットワーク部１０の下方にほぼ水平に配置し、これによって下部タイプレート空洞９を上下に区画している。異物フィルタ７の取り付け方法としては、例えば、下部タイプレート側面部に異物フィルタ７が通る開口を設けておき、この開口から、異物フィルタ７を嵌め込んで、溶接またはネジで固定する。あるいは、異物フィルタ７を一体化した下部タイプレート下半分とネットワーク部１０を溶接することによって製作することもできる。
【００４５】
この実施の形態で、冷却材１はノズル部１１の入口開口３４から下部タイプレート空洞内９内に流入し、フィルタ７を通り、ネットワーク部１０の流路３２を通ってチャンネルボックス１５内に入る。この時、冷却材１中の異物はフィルタ７で捕捉される。なお、図５〜図７では、フィルタ７として、図２に示した２層タイプのものを示しているが、他のフィルタを用いてもよいことはもちろんである。
【００４６】
図６は、異物フィルタ７を下部タイプレートノズル部１１の入口開口３４付近に配置する例を示している。この場合、異物フィルタ７を入口開口３４から挿入してノズル部１１内側に取り付けることができる。また、ネットワーク部１０、ノズル部１１およびフィルタ７を初めから一体として鋳造することも可能である。
【００４７】
図７は、異物フィルタ７を下部タイプレートネットワーク部１０上部に配置する例を示している。異物フィルタ７には、燃料棒１２およびウォータロッド１３の下部端栓１４が通過するための貫通孔（図示せず）を設け、異物フィルタ７を、燃料棒１２およびウォータロッド１３の下部端栓１４を介して、下部タイプレートのネットワーク部１０上面に固定している。この場合、下部タイプレート８自体は、従来のものをそのまま使用することもできる。
【図面の簡単な説明】
【００４８】
【図１】本発明に係る異物フィルタの一実施の形態を示す図であって、（ａ）は平面図、（ｂ）は（ａ）のＢ−Ｂ線矢視立面図、（ｃ）は（ｂ）の部分拡大立面図。
【図２】本発明に係る異物フィルタの他の実施の形態を示す図であって、（ａ）は斜視図、（ｂ）は（ａ）のＢ線方向矢視立面図。
【図３】本発明に係る異物フィルタのさらに他の実施の形態を示す斜視図。
【図４】本発明に係る異物フィルタのさらに他の実施の形態を示す図であって、（ａ）は部分平面図、（ｂ）は部分斜視図。
【図５】本発明に係る異物フィルタを採用した燃料集合体の実施の形態の要部を示す模式的部分立面図。
【図６】本発明に係る異物フィルタを採用した他の燃料集合体の実施の形態の要部を示す模式的部分立面図。
【図７】本発明に係る異物フィルタを採用したさらに他の燃料集合体の実施の形態の要部を示す模式的部分立面図。
【図８】従来の沸騰水型原子炉用燃料集合体の全体立断面図。
【図９】従来の異物フィルタを具備する沸騰水型原子炉用燃料集合体の下部タイプレート付近の拡大立断面図。
【図１０】図９の仕切り板だけを取り出して示す平面図。
【符号の説明】
【００４９】
１…冷却材、３…棒状部、５…流路、７…フィルタ、８…下部タイプレート、９…下部タイプレート空洞、１０…ネットワーク部、１１…ノズル部、１２…燃料棒、１３…ウォータロッド、１４…下部端栓、１５…チャンネルボックス、１６…下部タイプレート、１７…仕切り板（フィルタ）、１７ａ…孔、１７ｂ…下部端栓貫通孔、２２…上部タイプレート、２４…燃料スペーサ、３０…部分長燃料棒、３２…流路、４１…凸状棒状部交点、４２…凹状棒状部交点。
【図１】
2005172748.tif 000003
【図２】
2005172748.tif 000004
【図３】
2005172748.tif 000005
【図４】
2005172748.tif 000006
【図５】
2005172748.tif 000007
【図６】
2005172748.tif 000008
【図７】
2005172748.tif 000009
【図８】
2005172748.tif 000010
【図９】
2005172748.tif 000011
【図１０】
2005172748.tif 000012